(57)【要約】  基準信号を利用した無線チャンネル状態測定は、受信端で送信端が約束された送信電力に送信する基準信号が無線チャンネルを経て受信される受信強度を測定することによってなる。この時、無線チャンネル状態を測定するためにはまず受信端は送信端が送信する基準信号を受信するべきであり、これのためには送信端は受信端が時間、空間、周波数、またはコード資源上でどんなに基準信号を送信するのか基準信号のパターンが分からなければならない。さらに、より正確な無線チャンネル状態の測定のために受信される基準信号の信号対干渉電力比を高めることが重要であり、このために他の送信端から来る干渉を低めることができる方法が必要である。このため方法のうち、１つがミューティングである。
2014511067.tif 000002
【特許請求の範囲】
【請求項１】
予め決定された複数個のミューティングパターンによる資源のうち、任意の資源を通じて制御情報を送信する無線通信システムで基地局が第１端末及び第２端末に制御情報を送信する方法であって、
チャンネル状態情報基準信号(ＣＳＩ−ＲＳ)を送信する資源及びミューティングを適用する資源を決定する段階；
前記ミューティングパターンによる資源のうち、前記第１端末に対する制御信号を送信する資源を決定する段階；及び
前記決定された資源情報を含む制御情報を端末に送信する段階を含み、
前記第１端末に対する制御信号を送信する資源は、前記第２端末に対してミューティングで適用されることを特徴とする制御情報送信方法。
【請求項２】
前記第１端末に対する制御信号を送信する資源は、前記チャンネル状態情報基準信号と、実際ミューティングが適用される資源と重ならないことを特徴とする、請求項１に記載の制御情報送信方法。
【請求項３】
前記送信段階以前に、
第１端末及び第２端末に上位階層シグナリングを送信する段階をさらに含み、
前記第１端末に対する上位階層シグナリングは、前記第１端末がチャンネル状態情報基準信号を受信するための情報、ミューティングが適用された資源情報、前記第１端末に対する制御信号を送信する資源情報を含み、
前記第２端末に対する上位階層シグナリングは、前記第２端末がチャンネル状態情報基準信号を受信するための情報、ミューティングが適用された資源情報を含むことを特徴とする、請求項１に記載の制御情報送信方法。
【請求項４】
前記第１端末に送信される制御信号は、広帯域信号または副帯域信号であることを特徴とする、請求項１に記載の制御情報送信方法。
【請求項５】
予め決定された複数個のミューティングパターンによる資源のうち、任意の資源を通じて第１端末または第２端末に制御情報を送信する無線通信システムで端末が基地局から制御情報を受信する方法であって、
前記基地局からチャンネル状態情報基準信号を送信する資源、ミューティングを適用する資源、前記ミューティングパターンによる資源のうち、前記第１端末に対する制御信号を送信する資源に対する情報を含む制御情報を受信する段階；及び
受信した制御情報を処理する段階を含み、
前記第１端末に対する制御信号を送信する資源は、前記第２端末に対してミューティングで適用されることを特徴とする制御情報受信方法。
【請求項６】
前記端末が第１端末の場合、
前記制御情報処理段階は、
前記第１端末に対する制御信号を抽出して処理する段階をさらに含むことを特徴とする、請求項５に記載の制御情報受信方法。
【請求項７】
前記端末が第２端末の場合、
前記制御情報処理段階は、
ミューティングパターンを利用して送信される制御信号がないことで処理する段階をさらに含むことを特徴とする、請求項５に記載の制御情報受信方法。
【請求項８】
前記制御情報受信段階以前に、
前記基地局から上位階層シグナリングを受信する段階をさらに含み、
第１端末に対する上位階層シグナリングは、前記第１端末がチャンネル状態情報基準信号を受信するための情報、ミューティングが適用された資源情報、前記第１端末に対する制御信号を送信する資源情報を含み、
第２端末に対する上位階層シグナリングは、前記第２端末がチャンネル状態情報基準信号を受信するための情報、ミューティングが適用された資源情報を含むことを特徴とする、請求項５に記載の制御情報受信方法。
【請求項９】
予め決定された複数個のミューティングパターンによる資源のうち、任意の資源を通じて制御情報を送信する無線通信システムで基地局が第１端末及び第２端末に制御情報を送信する基地局であって、
チャンネル状態情報基準信号(ＣＳＩ−ＲＳ)を送信する資源及びミューティングを適用する資源を決定して、前記ミューティングパターンによる資源のうち、前記第１端末に対する制御信号を送信する資源を決定する制御器；及び
前記決定された資源情報を含む制御情報を端末に送信する送受信機を含み、
前記第１端末に対する制御信号を送信する資源は、前記第２端末に対してミューティングで適用されることを特徴とする基地局。
【請求項１０】
前記第１端末に対する制御信号を送信する資源は、チャンネル状態情報基準信号と、実際ミューティングが適用される資源と重ならないことを特徴とする、請求項９に記載の基地局。
【請求項１１】
前記制御器は、第１端末及び第２端末に上位階層シグナリングを送信するように制御して、
前記第１端末に対する上位階層シグナリングは、前記第１端末がチャンネル状態情報基準信号を受信するための情報、ミューティングが適用された資源情報、前記第１端末に対する制御信号を送信する資源情報を含み、
前記第２端末に対する上位階層シグナリングは、前記第２端末がチャンネル状態情報基準信号を受信するための情報、ミューティングが適用された資源情報を含むことを特徴とする、請求項９に記載の基地局。
【請求項１２】
前記第１端末に送信される制御信号は、広帯域信号または副帯域信号であることを特徴とする、請求項９に記載の基地局。
【請求項１３】
予め決定された複数個のミューティングパターンによる資源のうち、任意の資源を通じて第１端末または第２端末に制御情報を送信する無線通信システムで基地局から制御情報を受信する端末であって、
前記基地局からチャンネル状態情報基準信号を送信する資源、ミューティングを適用する資源、前記ミューティングパターンによる資源のうち、前記第１端末に対する制御信号を送信する資源に対する情報を含む制御情報を受信する送受信機；及び
前記受信した制御情報を処理する制御器を含み、
前記第１端末に対する制御信号を送信する資源は、前記第２端末に対してミューティングで適用されることを特徴とする端末。
【請求項１４】
前記端末が第１端末の場合、
前記制御器は、前記第１端末に対する制御信号を抽出して処理することを特徴とする、請求項１３に記載の端末。
【請求項１５】
前記端末が第２端末の場合、
前記制御器はミューティングパターンを利用して送信される制御信号がないことで処理することを特徴とする、請求項１３に記載の端末。
【請求項１６】
前記制御器は、
前記基地局から上位階層シグナリングを受信するように制御して、
第１端末に対する上位階層シグナリングは、前記第１端末がチャンネル状態情報基準信号を受信するための情報、ミューティングが適用された資源情報、前記第１端末に対する制御信号を送信する資源情報を含み、
第２端末に対する上位階層シグナリングは、前記第２端末がＣＳＩ−ＲＳを受信するための情報、ミューティングが適用された資源情報を含むことを特徴とする、請求項１３に記載の端末。
【発明の詳細な説明】
【技術分野】
【０００１】
本発明は、無線通信システムで制御情報送受信方法及び装置に関する。より具体的に、本発明はＬＴＥ−Ａ移動通信システムに定義されたミューティングパターン(ｍｕｔｉｎｇ ｐａｔｔｅｒｎ)位置を利用して制御信号を送信する方法を提案する。
【背景技術】
【０００２】
従来、セルラシステムではダウンリンクチャンネル状態を測定するために基準信号(Ｒｅｆｅｒｅｎｃｅ ｓｉｇｎａｌ)を送信するべきである。３ＧＰＰのＬＴＥ−Ａ（Ｌｏｎｇ Ｔｅｒｍ Ｅｖｏｌｕｔｉｏｎ Ａｄｖａｎｃｅｄ)システムの場合、基地局が送信するＣＳＩ−ＲＳ（Ｃｈａｎｎｅｌ Ｓｔａｔｕｓ Ｉｎｆｏｒｍａｔｉｏｎ Ｒｅｆｅｒｅｎｃｅ Ｓｉｇｎａｌ)を利用して端末は基地局と自分の間のチャンネル状態を測定する。上記基準信号を利用したチャンネル状態情報の測定は、受信された基準信号の信号対干渉及び雑音電力比が高いほど測定の正確度が向上する。したがって、チャンネル状態情報の正確度を向上させるために受信された基準信号に対する干渉の電力を低めなければならない。
【０００３】
他の送信端の基準信号が送信される時間、周波数、アンテナ、コード資源を使用せず空けるミューティング(ｍｕｔｉｎｇ)もチャンネル状態情報基準信号に対する干渉を低めることができる１つの方法である。しかし、このようなミューティングの長所を得るためには受信端で送信端が或る資源要素位置の基準信号をミューティングするか分からなければならなく、これによってＬＴＥ−Ａでは一定の規則を有するミューティングパターンを定義した。
【０００４】
ところで、上記ミューティングパターンを利用する場合、互いに異なる無線通信システム規格を支援するそれぞれの端末に対する制御情報をより效率的に運営することができて、これに対する研究が必要な実情である。
【発明の概要】
【発明が解決しようとする課題】
【０００５】
本発明は、ＬＴＥ−Ａシステムを基盤として定義されたミューティングパターンを利用して新しい制御信号を送信する方法を提供することを目的とする。
【課題を解決するための手段】
【０００６】
上記のような問題点を解決するための本発明の予め決定された複数個のミューティングパターンによる資源のうち、任意の資源を通じて制御情報を送信する無線通信システムで基地局が第１端末及び第２端末に制御情報を送信する方法は、チャンネル状態情報基準信号(ＣＳＩ−ＲＳ)を送信する資源及びミューティングを適用する資源を決定する段階、上記ミューティングパターンによる資源のうち、上記第１端末に対する制御信号を送信する資源を決定する段階、及び上記決定された資源情報を含む制御情報を端末に送信する段階を含み、上記第１端末に対する制御信号を送信する資源は、上記第２端末に対してミューティングで適用されることを特徴とする。
【０００７】
また、本発明の予め決定された複数個のミューティングパターンによる資源のうち、任意の資源を通じて第１端末または第２端末に制御情報を送信する無線通信システムで端末が基地局から制御情報を受信する方法は、上記基地局からチャンネル状態情報基準信号を送信する資源、ミューティングを適用する資源、上記ミューティングパターンによる資源のうち、上記第１端末に対する制御信号を送信する資源に対する情報を含む制御情報を受信する段階、及び受信した制御情報を処理する段階を含み、上記第１端末に対する制御信号を送信する資源は上記第２端末に対してミューティングで適用されることを特徴とする。
【０００８】
また、本発明の予め決定された複数個のミューティングパターンによる資源のうち、任意の資源を通じて制御情報を送信する無線通信システムで基地局が第１端末及び第２端末に制御情報を送信する基地局は、チャンネル状態情報基準信号(ＣＳＩ−ＲＳ)を送信する資源及びミューティングを適用する資源を決定して、上記ミューティングパターンによる資源のうち、上記第１端末に対する制御信号を送信する資源を決定する制御器及び上記決定された資源情報を含む制御情報を端末に送信する送受信機を含み、上記第１端末に対する制御信号を送信する資源は上記第２端末に対してミューティングで適用されることを特徴とする。
【０００９】
そして、本発明の予め決定された複数個のミューティングパターンによる資源のうち、任意の資源を通じて第１端末または第２端末に制御情報を送信する無線通信システムで基地局から制御情報を受信する端末は、上記基地局からチャンネル状態情報基準信号を送信する資源、ミューティングを適用する資源、上記ミューティングパターンによる資源のうち、上記第１端末に対する制御信号を送信する資源に対する情報を含む制御情報を受信する送受信機及び上記受信した制御情報を処理する制御器を含み、上記第１端末に対する制御信号を送信する資源は上記第２端末に対してミューティングで適用されることを特徴とする。
【００１０】
本発明によると、従来移動通信システムで定義されている基準新号パターンとミューティングを利用して新しい制御信号を送信することができる。これによって、限定された無線資源をより效率的に用いることができ、信号間発生する干渉影響も減少させることができる。
【図面の簡単な説明】
【００１１】
【図１】ＬＴＥ−Ａシステムで基地局が端末に送信するＣＳＩ−ＲＳの位置を示した図面である。
【図２】ＬＴＥ−Ａで定義されたミューティングパターンを示した図面である。
【図３】ＬＴＥ−ＡシステムでＣＳＩ−ＲＳ送信及びミューティングの適用を図示化した図面である。
【図４】本発明の実施例による制御信号送信方法を示した図面である。
【図５】上記制御情報がＣＳＩ−ＲＳと共に送信されることを示した図面である。
【図６】本発明で提案する広帯域(ｗｉｄｅｂａｎｄ)信号送信方法を図示化した図面である。
【図７】本発明で新しいｒｅｌｅａｓｅの端末のみのために送信される広帯域制御信号(ｗｉｄｅｂａｎｄ ｃｏｎｔｒｏｌ ｓｉｇｎａｌ)の送信方法を示した図面である。
【図８】本発明で提案する全体システム帯域幅内で狭い帯域のみを利用する副帯域 (ｓｕｂｂａｎｄ)制御信号送信方法を図示化した図面である。
【図９】本発明で提案する副帯域制御信号(ｓｕｂｂａｎｄ ｃｏｎｔｒｏｌ ｓｉｇｎａｌ)を送信するまた他の方法を示した図面である。
【図１０】本発明の実施例による基地局の制御信号送信過程を示したフローチャートである。
【図１１】本発明の実施例によって基地局で送信される制御情報を受信する端末の動作手順を示したフローチャートである。
【図１２】本発明に提案する制御信号送信方法を基地局で具現する装置ブロックを示したブロック図である。
【図１３】本発明に提案する制御信号送信方法を適用する場合、基地局で送信した信号を受信する端末装置ブロック図を示した図面である。
【発明を実施するための形態】
【００１２】
以下、本発明の実施例を添付した図面と共に詳しく説明する。また、本発明を説明するにあたり関連される公知機能、或いは構成に対する具体的な説明が本発明の要旨を不必要に濁すことができると判断された場合。その詳細な説明は省略する。そして後述される用語は本発明における機能を考慮して定義された用語として、これは使用者、運用者の意図または慣例などによって変わることができる。よって、その定義は本明細書全般にわたった内容を基づいて下されるべきである。
【００１３】
また、本発明の実施例を具体的に説明することにおいて、ＯＦＤＭ基盤の無線通信システム、特に３ＧＰＰ ＥＵＴＲＡ標準を主な対象とするはずであるが、本発明の主な要旨は類似の技術的背景及びチャンネル形態を有するその他の通信システムにも本発明の範囲を大きく逸脱しない範囲で少しの変形で適用可能であり、これは本発明の技術分野で熟練された技術的知識を有した者の判断で可能であろう。
【００１４】
図１は、ＬＴＥ−Ａシステムで基地局が端末に送信するＣＳＩ−ＲＳの位置を示した図面である。
【００１５】
上記図１の１０１から１２０までの位置で各位置別に２つのＣＳＩ−ＲＳアンテナポート(ａｎｔｅｎｎａ ｐｏｒｔ)に対する信号が送信されることができるように考案された。すなわち、基地局は位置１０１のような１つの位置でダウンリンク測定のための２つのＣＳＩ−ＲＳアンテナポートに対する信号を端末に送信する。複数個のセルからなるセルラシステムの場合、上記図１の複数個の位置を各セル別に別途の位置を割り当ててＣＳＩ−ＲＳを送信するようにできる。一例としてセル１の場合、位置１０１でＣＳＩ−ＲＳを送信してセル２の場合、位置１０５でＣＳＩ−ＲＳを送信することである。このようにセル別で互いに異なる位置でＣＳＩ−ＲＳ送信のための時間及び周波数資源を割り当てることは互いに異なるセルのＣＳＩ−ＲＳが互いに相互干渉を発生させることを防止するためである。
【００１６】
上記図１のＬＴＥ−Ａシステムは、システム帯域幅がＮ個の資源ブロック(Ｒｅｓｏｕｒｃｅ Ｂｌｏｃｋ、ＲＢ)からなり、各ＲＢごとに一定の位置でＣＳＩ−ＲＳが送信される。一例として２５個のＲＢから構成されたＬＴＥ−Ａシステムの場合、すべてのＲＢの１０１位置で２つのＣＳＩ−ＲＳアンテナポートに対する信号を端末に送信する。
【００１７】
前述したさまざまな方法を通じて容量利得を増加させるためには、無線チャンネルの状態に関する情報が必要であり、チャンネル状態情報が正確するほど容量利得向上に役に立つ。基準信号を利用したチャンネル状態情報の測定は、受信された基準信号の信号対干渉及び雑音電力比が高いほど測定の正確度が向上する。したがって、チャンネル状態情報の正確度を向上させるため、受信された基準信号に対する干渉の電力を低めなければならない。他の送信端の基準信号が送信される時間、周波数、アンテナ、コード資源を使用せず空けるミューティングもチャンネル状態情報基準信号に対する干渉を低めることができる１つの方法である。
【００１８】
しかし、このようなミューティングの長所を得るためには、受信端で送信端がどんな資源要素位置の基準信号をミューティングするか分かるべきである。図２は、ＬＴＥ−Ａで定義されたミューティングパターンを示した図面である。
【００１９】
上記図２にはＡからＪまで総１０個のミューティングパターンが明示されている。上記ミューティングパターンＡ〜Ｊはそれぞれ４ポートＣＳＩ−ＲＳ送信パターンと一致するように設計された。ミューティングパターンをＣＳＩ−ＲＳ送信パターンと一致させることによって一基地局は他の基地局がＣＳＩ−ＲＳを送信する時、ミューティングを利用して干渉效果を減少させることができるようになる。ＬＴＥ−Ａに含まれたミューティングは１つの基地局が複数個の隣接基地局のＣＳＩ−ＲＳに対する干渉を減少させることができるように複数個のミューティングパターンに対してミューティングを適用するように設計された。
【００２０】
図３はＬＴＥ−ＡシステムでＣＳＩ−ＲＳ送信及びミューティングの適用を図示化した図面である。
【００２１】
上記図３で基地局はＣＳＩ−ＲＳ送信またはミューティング適用を１０サブフレーム(ｓｕｂｆｒａｍｅ)ごとに行っている。上記サブフレームはＬＴＥ及びＬＴＥ−Ａシステムで時間区間を分ける単位中の１つであり、 ０.００１ｓeｃまたは１ｍｓｅｃに該当される。すなわち、上記図３でＣＳＩ−ＲＳ送信またはミューティング適用は、毎１０ｍｓｅｃごとになることを分かる。上記のようにＣＳＩ−ＲＳ送信またはミューティング適用が行われる時、ＬＴＥ−Ａ端末は当該のサブフレームで次のような動作を行う。
【００２２】
1．ＣＳＩ−ＲＳ：基地局からＣＳＩ−ＲＳと指定された資源(すなわち、周波数及び時間)区間でダウンリンクチャンネルの状態を測定する。すなわち、上記図１のように定義されたＣＳＩ−ＲＳ送信位置でＣＳＩ−ＲＳを測定することである。
【００２３】
２.ミューティング：基地局からミューティングと指定された周波数時間区間は自分に割り当てない資源と判断して当該の区間を無視して次の有效な資源に過ぎる。すなわち、データチャンネル(ＰＤＳＣＨ：Ｐｈｙｓｉｃａｌ Ｄｏｗｎｌｉｎｋ Ｓｈａｒｅｄ Ｃｈａｎｎｅｌ)を受信することにおいて基地局がミューティングと指定した周波数時間区間はＰＤＳＣＨの送信に利用されない資源と判断して当該の区間を欠かして(ｓｋｉｐ)次の区間に過ぎる。
【００２４】
上記で言及したようにＬＴＥ−Ａシステムで端末は、ＣＳＩ−ＲＳと指定された区間では信号を測定するがミューティングと指定された区間では信号を測定しない。
【００２５】
このような動作はＬＴＥ−Ａ以後のシステムで新しい信号を送信することに活用されることができる。本発明は、ＬＴＥ−Ａに定義されたミューティングパターンを利用してＬＴＥ−Ａを基盤としてＬＴＥ−Ａ以後に定義されるシステムで新しいｒｅｌｅａｓｅの端末(または、「第１端末」、以下、同じ)に新しく定義された信号(例えば、制御信号)を送信すると共に既存ＬＴＥ−Ａ  ｌｅｇａｃｙ端末(または 「第２端末」、以下、同じ)には干渉效果を排除させることができるようにする。このような方法は、ＬＴＥ−Ａ以後に定義されるシステムで具現される新しい機能のために新しい制御チャンネルを導入する場合、当該の制御チャンネルがＬＴＥ−Ａ ｌｅｇａｃｙ端末に干渉效果を発生させなく一定の周波数時間資源をもって送信されることができるようにする。
【００２６】
図４は、本発明の実施例による制御信号送信方法を示した図面である。
【００２７】
上記図４で基地局は位置４００、４１０、４２０、４３０、４４０、４５０で以下のように信号を送信したりミューティングを行う。
【００２８】
１．位置４００、４１０：ＬＴＥ−Ａ ｌｅｇａｃｙ端末または新しいｒｅｌｅａｓｅの端末が受信することができるＣＳＩ−ＲＳが送信される 
【００２９】
２．位置４２０、４３０：ＬＴＥ−Ａ ｌｅｇａｃｙ端末と新しいｒｅｌｅａｓｅの端末が共にミューティングと認識される 
【００３０】
３．位置４４０、４５０：ＬＴＥ−Ａ ｌｅｇａｃｙ端末にはミューティングと認識されるが新しいｒｅｌｅａｓｅの端末には制御信号(ｃｏｎｔｒｏｌ ｓｉｇｎａｌｉｎｇ)が送信される
【００３１】
上記図４の位置４４０及び４５０で基地局は新しいｒｅｌｅａｓｅの端末のみのための制御信号を送信する。このように新しい端末にだけ制御信号を送信することにおいて重要なことは上記制御信号がｌｅｇａｃｙ端末に干渉で作用しないようにすることである。一例としてｌｅｇａｃｙ端末が上記位置４４０及び４５０から送信された新しい端末のみのための制御信号を自分のためのデータ送信の一部と判断して受信動作を行う場合、当該の端末は位置４４０及び４５０に載った制御信号によって干渉效果を受けるようになりデータチャンネルを受信することにおいて性能低下を経験するようになる。
【００３２】
上記のように新しいｒｅｌｅａｓｅの端末のみのための制御信号を送信することにおいてｌｅｇａｃｙ端末に及ぶ干渉を排除するために、本発明で提案するところは、ｌｅｇａｃｙ端末に次のような情報を上位階層シグナリング(ｈｉｇｈｅｒ ｌａｙｅｒ ｓｉｇｎａｌｉｎｇ)を利用して通報することである。
【００３３】
[１]ｌｅｇａｃｙ端末のための上位階層シグナリング
１．位置４００、４１０：ＣＳＩ−ＲＳが送信される 
２．位置４２０、４３０：ミューティングが適用される
３．位置４４０、４５０：ミューティングが適用される
【００３４】
すなわち、基地局がｌｅｇａｃｙ端末に上位階層シグナリングを通じて送信する情報はｌｅｇａｃｙ端末がＣＳＩ−ＲＳを受信するための情報及びミューティング適用された資源情報を含むことができる。
【００３５】
一方、基地局は新しいｒｅｌｅａｓｅの端末に次のような情報を上位階層シグナリングを利用して通報する。
【００３６】
[２] 新しいｒｅｌｅａｓｅの端末のための上位階層シグナリング
１．位置４００、４１０：ＣＳＩ−ＲＳが送信される 
２．位置４２０、４３０：ミューティングが適用される 
３．位置４４０、４５０：制御信号が送信される
【００３７】
すなわち、基地局が新しいｒｅｌｅａｓｅ端末に上位階層シグナリングを通じて送信する情報は新しいｒｅｌｅａｓｅ端末がＣＳＩ−ＲＳを受信するための情報、ミューティング適用された資源情報、ミューティングパターンを利用して制御信号が送信される資源情報を含むことができる。
【００３８】
上記のように、上位階層シグナリングを利用してｌｅｇａｃｙ端末と新しいｒｅｌｅａｓｅの端末に他の送受信状況を通報する場合、ｌｅｇａｃｙ端末は位置４４０及び４５０でミューティングが適用されることを認識して当該の資源を自分のデータチャンネル受信過程に含ませない。一方、新しいｒｅｌｅａｓｅの端末は位置４４０及び４５０で制御信号が送信されることを認識して当該の資源で制御信号受信機を動作させるようになる。すなわち、基地局は自分と連結されている端末がｌｅｇａｃｙ端末であるか、それとも新しいｒｅｌｅａｓｅの端末であるかによって上記[１]または[２]の情報を上位階層シグナリングを利用して送信する。
【００３９】
本発明で提案する上記制御信号、すなわち新しいｒｅｌｅａｓｅ端末のみのための制御信号はいつも上記図２で図示した複数個のミューティングパターンによる資源のうちで一部資源を通じて送信される。すなわち、新しいｒｅｌｅａｓｅの端末にだけ送信される制御信号はミューティングパターンを外れた周波数及び時間資源を活用して送信されない特徴を有する。このように上記制御信号の送信をミューティングパターン内で限定することはｌｅｇａｃｙ端末に及ぶ干渉效果を排除するためである。ｌｅｇａｃｙ端末の場合、基地局がミューティングパターン以外の周波数及び時間資源を用いることができないように設定する機能が排除されているから本発明のように制御信号がミューティングパターンに限ることが重要である。
【００４０】
本発明で提案する新しいｒｅｌｅａｓｅの端末に送信する制御情報はサブフレーム(ｓｕｂｆｒａｍｅ)にＣＳＩ−ＲＳが送信されるか否かにかかわらず送信されることができる。図５は、上記制御情報がＣＳＩ−ＲＳと共に送信されることを示したものである。
【００４１】
上記図５の送信１(ｔｒａｎｓｍｉｓｓｉｏｎ 1)の場合、ＣＳＩ−ＲＳと制御信号が別途のサブフレームから送信されている。上記図５の送信１(ｔｒａｎｓｍｉｓｓｉｏｎ 1)の場合、ＣＳＩ−ＲＳが送信されるサブフレーム内の位置と制御信号が送信される位置が独立的に設定されることができる。一方、送信２(ｔｒａｎｓｍｉｓｓｉｏｎ ２)の場合、 ＣＳＩ−ＲＳと制御信号が一部サブフレームで同時に送信される。上記送信２(ｔｒａｎｓｍｉｓｓｉｏｎ ２)のように一部サブフレームで２つの信号が同時に送信される場合、ＣＳＩ−ＲＳが送信されるサブフレーム内の位置と制御信号が送信される位置が重ならないように設定すべきである。一例としてＣＳＩ−ＲＳの場合、上記図１の位置１０１で送信して制御信号は上記図２のミューティングパターンＣに該当する位置で送信することである。
【００４２】
本発明で提案する新しいｒｅｌｅａｓｅの端末に送信する制御情報は広い帯域にかけて送信される広帯域(ｗｉｄｅｂａｎｄ)信号の形態であったり狭い帯域にかけて送信される副帯域信号であることができる。図６は、本発明で提案する広帯域信号送信方法を図示化した図面である。
【００４３】
上記図６図で新しいｒｅｌｅａｓｅの端末のみのために送信される制御信号は、ミューティングパターンＡによる資源を利用して送信される。上記図６の広帯域制御信号６００は、 システム帯域幅を構成するすべてのＲＢ内のミューティングパターンＡの位置から送信される。上記のようにシステム帯域幅を構成するすべてのＲＢの一定のミューティングパターンを利用して制御情報を送信することは同一の制御情報を複数個の端末に同時に送信する放送(ｂｒｏａｄｃａｓｔ)方式の制御信号送信に適合する。
【００４４】
図７は、本発明で新しいｒｅｌｅａｓｅの端末のみのために送信される広帯域制御信号の送信方法を示した図面である。
【００４５】
上記図７で新しいｒｅｌｅａｓｅの端末のみのために送信される制御信号は上記図６と同様にミューティングパターンＡによる資源を通じて送信される。しかし上記図６と比べる時、図７の場合、１つの広帯域制御信号が送信されるのではなく複数個の広帯域制御信号が送信される。上記図７の広帯域制御信号1に該当する７００と広帯域制御信号２に該当する７１０は、ミューティングパターンＡの位置で送信されるがそれぞれすべてのＲＢで送信されなく一部ＲＢでばかり送信される。上記７のように一部ＲＢでばかり送信される広帯域制御信号１と広帯域制御信号２は、特定ＲＢのＲＢインデックス(ＲＢ ｉｎｄｅｘ)が奇数または偶数なのか否かによって当該のＲＢで送信するか否かを決定することができる。上記図７では２つの広帯域制御信号を同一のミューティングパターン位置で送信する方法を示したが本発明は３つ以上の広帯域制御信号を送信する場合にも同一方法で適用されることができる。すなわち、Ｎ個の広帯域制御信号を１つのミューティングパターン位置で送信しようとする場合、各広帯域制御信号別で或るＲＢを割り当てるかをＲＢインデックスに対するモジュールでＮ動作(ｍｏｄｕｌｏ Ｎ ｏｐｅｒａｔｉｏｎ)で決定することができる。すなわち、Ｎ個の広帯域制御信号のうち、ｉ番目の広帯域制御信号はＲＢインデックス(ＲＢ ｉｎｄｅｘ)が以下の［数１］を満足するＲＢを利用して送信することである。
【００４６】
【数１】
2014511067.tif 000003
【００４７】
また、上記図７では１つのミューティングパターンを利用して広帯域制御信号を送信することで明示したが複数個のミューティングパターンを利用しても同一方法で広帯域制御信号を送信することができる。
【００４８】
本発明で提案する新しいｒｅｌｅａｓｅの端末に送信する制御情報は、広い帯域にかけて送信される広帯域信号の形態であったり狭い帯域にかけて送信される副帯域信号であることができる。図８は、本発明で提案する全体システム帯域幅内で狭い帯域のみを利用する副帯域制御信号送信方法を図示化したものである。
【００４９】
上記図８で新しいｒｅｌｅａｓｅの端末のみのために送信される制御信号は、ミューティングパターンＡを利用して送信される。上記図８では複数個の副帯域制御信号が送信されている。それぞれ互いに異なる情報を有する副帯域制御信号８００、８１０、８２０はシステム帯域幅を構成するＲＢのうちで一部でばかり送信されている。
【００５０】
上記図８のように副帯域制御信号を送信することは制御信号を特定端末に送信する場合に有用である。反対に上記図６と７のように広帯域制御信号を送信することは制御信号を複数個の不特定端末に送信する場合に有用である。
【００５１】
図９は、本発明で提案する副帯域制御信号を送信するまた他の方法で各副帯域制御信号別で別途のミューティングパターンを割り当てて送信する場合に該当する。
【００５２】
上記図９で基地局は、副帯域制御信号1に該当する９００は、ミューティングパターンＡの位置から送信して副帯域制御信号２に該当する９１０はミューティングパターンＢの位置で送信している。上記のように副帯域制御信号ごとに別途のミューティングパターンを割り当てて互いに異なる時空間資源を利用して送信するようにすることは特定端末のための互いに異なる種類の制御信号を送信することに有用である。
【００５３】
図１０は、本発明の実施例による基地局の制御信号送信過程を示したフローチャートである。上記図１０の過程１０００で基地局はＣＳＩ−ＲＳを送信することに利用する資源すなわち、周波数及び時間を決定する。上記過程１０００で決定されるＣＳＩ−ＲＳの周波数及び時間資源を決定する要素としては送信周期、ＣＳＩ−ＲＳアンテナポート数、及び上記図１と同様な細部位置がある。
【００５４】
過程１０００でＣＳＩ−ＲＳの周波数及び時間資源を決定した後、基地局は過程１０１０のように周波数及び時間資源でミューティングを適用するかを決定する。基地局は上記過程１０１０のミューティングされる周波数及び時間資源に対しては送信電力を割り当てない。また、基地局は上記過程１０００及び過程１０１０を行うことにおいて、上記過程１０１０のミューティングされる周波数及び時間資源と上記過程１０００のＣＳＩ−ＲＳが送信される周波数及び時間資源を重ならないようにするべきである。
【００５５】
過程１０１０でミューティングが適用される周波数及び時間資源の決定された後、基地局は過程１０２０で新しいｒｅｌｅａｓｅの端末に制御信号を送信することに利用するミューティングパターンを決定する。上記ミューティングパターンは、上記図２の複数個のミューティングパターンのうちで決定されて、上記過程１０００及び１０１０でＣＳＩ−ＲＳ及び実際ミューティングに利用される周波数及び時間資源と重ならないように決定されるべきである。
【００５６】
上記過程１０００、１０１０、１０２０が完了した後基地局は、過程１０３０で新しいｒｅｌｅａｓｅの端末とｌｅｇａｃｙ端末にＣＳＩ−ＲＳ送信、ミューティング、ミューティングパターンから送信される制御信号に係って決定された事項を上位シグナリングを利用して次のような内容の情報を伝達する。
【００５７】
[１]ｌｅｇａｃｙ端末のための情報
１．端末がＣＳＩ−ＲＳを受信するための情報
２．ミューティングが適用された周波数及び時間資源に対する情報
【００５８】
一方、新しいｒｅｌｅａｓｅの端末に次のように上位階層シグナリングを利用して通報する。
【００５９】
[２] 新しいｒｅｌｅａｓｅの端末のための情報
１．端末がＣＳＩ−ＲＳを受信するための情報
２．ミューティングが適用された周波数及び時間資源に対する情報
３．ミューティングパターンを利用して制御信号が送信される周波数及び時間資源に対する情報
【００６０】
上記ｌｅｇａｃｙ端末のための情報のうち、 ミューティングが適用された周波数及び時間資源に対する情報には実際ミューティングが適用される周波数及び時間資源に対する情報とミューティングパターンを利用して新しいｒｅｌｅａｓｅの端末のための制御信号が送信される周波数及び時間資源に対する情報を含む。よって、上記過程１０３０と同様な情報を受信したｌｅｇａｃｙ端末はミューティングパターンを利用して送信される制御信号をミューティングとして認識することによって自分のトラフィックチャンネル受信信号の一部で処理しなくなる。
【００６１】
上記新しいｒｅｌｅａｓｅの端末のための情報のうち、 ミューティングが適用された周波数及び時間資源に対する情報は次の２つの方法のうち、１つで決定されることができる。
【００６２】
方法１：ｌｅｇａｃｙ端末のためのミューティング関連情報と同一にすること
【００６３】
方法２：ｌｅｇａｃｙ端末のためのミューティング関連情報からミューティングパターンのための制御信号が送信される周波数及び時間資源に対する情報を抜いたこと
【００６４】
上記方法１のようにする場合、新しいｒｅｌｅａｓｅの端末はミューティングが適用された周波数及び時間資源に対する情報を受信した後、この情報にミューティングパターンを利用して制御信号が送信される周波数及び時間資源に対する情報を適用することによって実際にどの周波数時間でミューティングが適用されるかどうかを判断する。一方、方法２のようにする場合、方法1のような過程無しにどの周波数及び時間資源で実際にミューティングが適用されるかどうかを判断することができる。
【００６５】
上記過程１０３０と同様にＣＳＩ−ＲＳ、ミューティング、ミューティングパターンを利用した制御信号送信に係る情報を上位階層を通じて各端末に送信した基地局は、過程１０４０でＣＳＩ−ＲＳ送信、ミューティング適用、ミューティングパターンを利用した制御信号送信を行う。
【００６６】
図１１は、本発明の実施例によって基地局から送信される制御情報を受信する端末の動作手順を示したフローチャートである。上記図１１の過程１１００で端末は基地局が送信したＣＳＩ−ＲＳ、ミューティング、ミューティングパターンを利用した制御信号送信に係る情報を受信する。これは上記図１０の過程１０３０で基地局が送信した情報を受信する過程に該当する。過程１１００で基地局が送信した情報を受信した端末は自分がｌｅｇａｃｙ端末であるか、それとも新しいｒｅｌｅａｓｅの端末であるか否かによって異なるように動作する。ｌｅｇａｃｙ端末の場合、過程１１３０のようにミューティングパターンを利用して送信される制御チャンネルがないと判断するようになる。一方、新しいｒｅｌｅａｓｅの端末の場合、基地局がミューティングパターンを利用して送信する制御チャンネルがあるのか否かによって過程１１４０のように当該のミューティングパターンで制御チャンネルを受信するための受信動作を行う過程１１３０のように制御信号がミューティングパターンを利用して送信されないと判断する。
【００６７】
一方、図１１で示されなかったが、端末は制御情報受信段階以前に、基地局から上位階層シグナリングを通じてその他の制御情報を受信することができる。もし、端末が第１端末(新しいｒｅｌｅａｓｅの端末)であれば、第１端末はＣＳＩ−ＲＳを受信するための情報、ミューティングが適用された周波数及び時間資源に対する情報、第１端末に対する制御信号を送信する資源情報を上位階層シグナリングを通じて受信することができる。
【００６８】
一方、端末が第２端末(ＬＴＥ−Ａ  ｌｅｇａｃｙ端末)であれば、第２端末はＣＳＩ−ＲＳを受信するための情報とミューティング適用された周波数及び時間資源に対する情報を上位階層シグナリングを通じて受信することができる。図１２は、本発明に提案する制御信号送信方法を基地局で具現する装置を示したブロック図である。
【００６９】
上記図１２のＣＳＩ−ＲＳ信号生成器１２００は、ＣＳＩ−ＲＳの送信信号を発生させる。また制御信号生成器１２１０は、本発明で提案するミューティングパターンを利用して送信される新しいｒｅｌｅａｓｅの端末のための制御信号を発生させる。また、その他信号生成器１２２０は、トラフィックチャンネルなどその他送信される信号を発生させる。上記装置１２００、１２１０、１２２０で発生された信号は装置１２３０のｍｕｘに入力される。上記装置１２３０のｍｕｘは装置１２００、１２１０、１２２０の出力信号を入力で受けて、これらを装置１２４０の制御器の制御によって時間及び周波数資源上でｍｕｌｔｉｐｌｅｘｉｎｇする機能を行う。この時、上記装置１２１０で発生された制御信号は本発明で提案したように基地局が指定したミューティングパターン上で送信されるように配置される。
【００７０】
制御器１２４０は、本発明の実施例による基地局の全般的な動作を制御する。特に、制御器１２４０は予め決定された複数個のミューティングパターンによる資源のうちで任意の資源を通じて制御情報を送信する一連の過程を制御する。このために、制御器１２４０はチャンネル状態情報基準信号(ＣＳＩ−ＲＳ)を送信する資源及びミューティングを適用する資源を決定する。次いで、制御器１２４０は上記ミューティングパターンによる資源のうちで上記第１端末に対する制御信号を送信する資源を決定する。この場合、上記第１端末に対する制御信号を送信する資源は、上記第２端末に対してミューティングで適用される。そして制御器１２４０は、上記決定された資源情報を含む制御情報を端末に送信するように制御する。
【００７１】
また、制御器１２４０は資源情報を端末に送信する前に、第１端末及び第２端末に上位階層シグナリングを送信することができる。この場合、第１端末に対する上位階層シグナリングは上記第１端末がＣＳＩ−ＲＳを受信するための情報、ミューティングが適用された資源情報、上記第１端末に対する制御信号を送信する資源情報を含むことができる。また、第２端末に対する上位階層シグナリングは上記第２端末がＣＳＩ−ＲＳを受信するための情報、ミューティングが適用された資源情報を含むことができる。
【００７２】
図１３は、本発明に提案する制御信号送信方法を適用する場合、基地局で送信した信号を受信する端末装置ブロック図を示した図面である。
【００７３】
図１３で装置１３００に受信された信号が入力される。当該の信号は装置１３１０の制御器によって装置１３００のｄｅｍｕｘでＣＳＩ−ＲＳ、新しいｒｅｌｅａｓｅの端末のための制御信号、その他信号でｄｅｍｕｌｔｉｐｌｅｘｉｎｇされる。上記装置１３００ でｄｅｍｕｌｔｉｐｌｅｘｉｎｇされて出力されたＣＳＩ−ＲＳ、新しいｒｅｌｅａｓｅの端末のための制御信号、その他信号はそれぞれ装置１３２０のＣＳＩ−ＲＳ受信機、装置１３３０ミューティングパターン位置で送信される制御信号のための受信機、装置１３４０のその他信号に対する受信機で入力されて各信号別で適切な受信動作を経て出力される。
【００７４】
一方、制御器１３１０は、基地局から送信される上位階層シグナリングを受信する一連の過程を制御することができる。この場合、第１端末に対する上位階層シグナリングは上記第１端末がＣＳＩ−ＲＳを受信するための情報、ミューティングが適用された資源情報、上記第１端末に対する制御信号を送信する資源情報を含むことができる。そして第２端末に対する上位階層シグナリングは上記第２端末がＣＳＩ−ＲＳを受信するための情報、ミューティングが適用された資源情報を含むことができる。
【００７５】
上記本発明に対する説明では新しいｒｅｌｅａｓｅの端末に制御信号を送信することにおいて既存に定義されたミューティングパターンを利用する方法を明示した。上記方法は、制御信号だけでなくその他基準信号またはトラフィック信号にも同様に適用されることができることを明らかにする。また、本発明では新しいｒｅｌｅａｓｅの端末に送信する場合に対して説明しているが同様のｒｅｌｅａｓｅの端末の間でも同様に適用されることができることを明らかにする。
【符号の説明】
【００７６】
１２００  ＣＳＩ−ＲＳ信号生成器
１２１０  新規制御信号生成器
１２２０  その他信号生成器
１２４０  制御器
１３１０  制御器
１３２０  ＣＳＩ−ＲＳ受信機
１３３０  装置
１３４０  装置
【図３】
2014511067.tif 000004
【図５】
2014511067.tif 000005
【図６】
2014511067.tif 000006
【図７】
2014511067.tif 000007
【図８】
2014511067.tif 000008
【図９】
2014511067.tif 000009
【図１０】
2014511067.tif 000010
【図１１】
2014511067.tif 000011
【図１２】
2014511067.tif 000012
【図１３】
2014511067.tif 000013
【図１】
2014511067.tif 000014
【図２】
2014511067.tif 000015
【図４】
2014511067.tif 000016
【国際調査報告】
2014511067.tif 000017
2014511067.tif 000018